(57)【特許請求の範囲】
【請求項１】
宅配又は物流における物品の受領承認に用いられる印受領システムであって、
本体部及び上記本体部の一端に設けられる印面部を有する印章と、
略平面に形成される表面部、上記表面部へのタッチ操作を検出可能な静電容量方式のタッチ検出部、上記タッチ検出部で検出されるタッチ操作の痕跡を痕跡データとして記憶する記憶部及び上記記憶部に記憶されたタッチ操作の痕跡に係る痕跡データを他の装置へ送信する通信部を有する端末装置と
を備え、
上記本体部が、使用者が掴む部分と上記印面部との間で導電性を有するように構成されており、
上記印面部が、所定の印影の鏡像を表すように導電性材料によって形成されており、
上記印面部が、上記印影の鏡像を表す形状の一又は複数の凸部を含み、
上記印章が、上記本体部の一端において上記印面部の周囲を埋めるように囲み、かつ上記印面部と連続して略平面を形成するように配設される支持部を更に有し、
上記支持部が絶縁材料によって形成されており、
上記タッチ検出部が、上記印章による入力及び手書きサインによる入力の両方を検出できるように構成されており、上記印面部の上記表面部への近接をタッチ操作として検出する場合は、上記印影が痕跡データとして上記記憶部に記憶され、上記表面部への手書きサインをタッチ操作として検出する場合は、上記手書きサインの痕跡が痕跡データとして上記記憶部に記憶される
印受領システム。
【請求項２】
上記端末装置が、上記表面部を介して画像を表示可能な表示部を更に有し、
上記タッチ検出部が上記印面部の上記表面部への近接を検出すると、上記表示部が上記印影に係る痕跡画像を表示する
請求項１に記載の印受領システム。
【発明の詳細な説明】
【技術分野】
【０００１】
本発明は、印受領システム、印章及び端末装置に関する。
【背景技術】
【０００２】
物流システムでは、配送者が受取人からサインや受領印を取得することによって物品の受け渡しの確認を行っている。受取人からサインを取得するシステムとしては、例えば配送者が携帯する携帯端末装置にタッチパネルを設けておき、受取人が入力ペンを用いてこのタッチパネルへ署名を入力するシステムが知られている（特許文献１）。
【０００３】
また、電子捺印を行うことが可能なシステムが知られている（特許文献２）。特許文献２に記載されたシステムは、導電式印章の先端に様々な配置パターンで複数の導電物質を取り付けておき、タッチパネルにおいてこの複数の導電物質の配置を読み取り、複数の導電物質の配置を導電式印章の識別コードに置換することによって使用された導電式印章を判別する。
【先行技術文献】
【特許文献】
【０００４】
【特許文献１】特開２００１−３０７００７号公報
【特許文献２】特開２０１２−２５６２４６号公報
【発明の概要】
【発明が解決しようとする課題】
【０００５】
特許文献１に開示されたシステムは、受取人が専用の入力ペンや指を使用してタッチパネルへ手書きサインを行うものであり、紙等に対する手書きとは勝手が異なる。このため、受取人がタッチパネルへきれいに文字入力を行うことは容易ではない。特に画数が多い等、入力すべき文字が複雑である場合は、文字を正しく入力することが困難となる。
【０００６】
また、配送者が持参するタッチパネルや入力ペンは、様々な配送先で使用される。このため、多くの人が触れるタッチパネルや入力ペンを常に清潔に保つことは困難であり、衛生面を懸念する受取人に対して不快感を与えるおそれがある。特にインフルエンザ等の感染症が流行する時期には、これらの罹患も懸念される。
【０００７】
特許文献２に開示されたシステムは、使用された導電式印章の種類を判別するものであり、導電式印章の先端に取り付けられた複数の導電物質の配置パターンとこの導電式印章の識別コードとを予め対応付けて登録する。すなわち、特許文献２に開示されたシステムは、タッチパネルに対してどの導電式印章が用いられたかを判別するために、導電式印章を使用する前に予め登録手続きを要するとともに、この登録情報を使用時に読み出し可能とする必要がある。
【０００８】
以上のように、従来のシステムは、サインや印の入力を電子化するものの、様々な問題点を有していた。
【０００９】
本発明は、上述のような事情に基づいてなされたものであり、使用者による承認の入力を容易にかつ衛生的に受領可能な印受領システム、印章及び端末装置を提供することを目的とする。
【課題を解決するための手段】
【００１０】
上記課題を解決するためになされた本発明の一態様に係る印受領システムは、本体部及び上記本体部の一端に設けられる印面部を有する印章と、略平面に形成される表面部、上記表面部へのタッチ操作を検出可能な静電容量方式のタッチ検出部及び上記タッチ検出部で検出されるタッチ操作の痕跡を痕跡データとして記憶する記憶部を有する端末装置とを備え、上記印面部が、所定の印影の鏡像を表すように導電性材料によって形成されており、上記タッチ検出部が上記印面部の上記表面部への近接をタッチ操作として検出すると、上記印影が痕跡データとして上記記憶部に記憶される。
【００１１】
上記端末装置が、上記表面部を介して画像を表示可能な表示部を更に有し、上記タッチ検出部が上記印面部の上記表面部への近接を検出すると、上記表示部が上記印影に係る痕跡画像を表示するとよい。
【００１２】
上記課題を解決するためになされた本発明の一態様に係る印章は、本体部及び上記本体部の一端に設けられる印面部を有し、上記印面部が、所定の印影の鏡像を表すように導電性材料によって形成され、静電容量方式のタッチ検出部によって検出可能に構成されている。
【００１３】
上記課題を解決するためになされた本発明の一態様に係る端末装置は、略平面に形成される表面部、上記表面部へのタッチ操作を検出可能な静電容量方式のタッチ検出部及び上記タッチ検出部で検出されるタッチ操作の痕跡を痕跡データとして記憶する記憶部を有し、上記タッチ検出部が、所定の印影の鏡像を表すように導電性材料によって形成された印面部の上記表面部への近接をタッチ操作として検出すると、上記印影が痕跡データとして上記記憶部に記憶される
【発明の効果】
【００１４】
本発明の一態様に係る印受領システム、印章及び端末装置は、使用者による承認の入力を容易にかつ衛生的に受領できる。
【図面の簡単な説明】
【００１５】
【図１】本発明の一実施形態に係る印受領システムの全体構成を概略的に示す図である。
【図２】図１の印受領システムにおける端末装置の構成を概略的に示す図である。
【図３】図１の印受領システムにおける印受領時の端末装置の表示画面を概略的に示す図である。
【発明を実施するための形態】
【００１６】
以下、本発明の実施形態について図を参照しつつ詳説する。
【００１７】
［印受領システム］
図１に示す印受領システム１は、使用者の使用する印章から印影を受領するためのシステムであり、例えば宅配システム、物流システムにおける受取人による物品の受領承認時やビジネスにおける意思決定者による書類の内容承認時等に利用される。
【００１８】
印受領システム１は、受取人、意思決定者等の使用者が使用する印章１０と、使用者による承認の入力を受領するための端末装置２０とを備えており、使用者による承認の入力として印章１０から印影を受領するように構成されている。後述により明らかとなるが、印受領システム１は、印章１０に設けられる印面部１２を端末装置２０に設けられる表面部２２へ接触させることにより、端末装置２０において印面部１２から印影を取得する。
【００１９】
例えば、印受領システム１が宅配システムに適用される場合、受取人は、所有する印章１０の印面部１２を配送者が持参する端末装置２０の表面部２２へ接触させる。そうすると、端末装置２０が印章１０の印面部１２から印影を取得するので、配送者は、受取人による物品の受け取りを承認した旨の入力を印影として受領することになる。
【００２０】
受取人は、所有する印章１０を使用する際に、配送者が持参する端末装置２０等に触れる必要がない。すなわち、受取人は、紙の伝票に押印する場合と同様に、認印の感覚で印章１０を使用するだけでよい。したがって、印受領システム１は、使用者による承認の入力を容易にかつ衛生的に受領できる。
【００２１】
＜印章＞
印受領システム１は、本体部１１及び本体部１１の一端に設けられる印面部１２を有する印章１０を備えている。図１に示すように、印章１０は、使用者が本体部１１を掴んで使用できるように構成されており、本体部１１の下端面に沿って２次元的に形成される印面部１２と、本体部１１の上端面に設けられ、印面部１２から得られる所定の印影を表現したラベル部１３を有している。なお、印章１０は、事前に印影を確認できるようにラベル部１３を有しているが、ラベル部１３を有しない構成であってもよい。
【００２２】
本体部１１は、印章１０の基部となる略柱状体であり、例えば金属、導電性シリコーンゴム、導電性ゴム、導電性樹脂、導電性繊維等の導電性材料によって形成される。なお、本体部１１の形状は特に限定されない。また、導電性材料も特に限定されず、例えば上記の導電性材料を２種類以上組み合わせたものが用いられてもよい。また、本体部１１は、使用者が掴む部分と印面部１２との間で導電性が得られるように構成されていればよく、全体が導電性材料によって形成されてもよいし、使用者が掴む部分と印面部１２との間を含む一部のみが導電性材料によって形成されてもよい。
【００２３】
（印面部）
印面部１２は、所定の印影の鏡像を表すように導電性材料によって形成されている。導電性材料としては、例えば金属、導電性シリコーンゴム、導電性ゴム、導電性樹脂、導電性繊維等の導電性材料が用いられるとよいが、特に限定されない。なお、印面部１２は、本体部１１と同じ導電性材料によって本体部１１に一体的に形成されてもよい。
【００２４】
印面部１２は、端末装置２０の表面部２２に対して印影の鏡像を表す部分を同時に接触できるように２次元的に形成されている。具体的には、印面部１２は、下面視で印影の鏡像を表す形状の一又は複数の凸部を含み、凸部の頂部が全体として面一となるように構成されている。
【００２５】
印影は、人間が視認することによって何らかの意味を想起可能な文字やシンボルを表すものであるとよい。例えば、印影は、氏名、ニックネーム等の文字、日付等の数字、絵文字等の図形や記号を表すものであるとよく、これらを組み合わせたものが用いられてもよい。
【００２６】
印受領システム１は、印章１０が正式なものか否かを認証するための手段を必ずしも必要としない。印受領システム１が印章１０の認証手段を含まない場合、印章１０は、認印等の簡易な承認印として設計されるとよく、例えば、印影として人名の姓を表すものを採用するとよい。
【００２７】
＜端末装置＞
端末装置２０は、多点検出可能な静電容量方式のタッチパネルを含むタッチパネル一体型の携帯端末であり、図１に示すように、本体部２１と本体部２１の一部に略平面に形成される表面部２２とを有している。また、端末装置２０は、図２に示すように、本体部２１内に、各種演算を実行する制御部２１０と、各種プログラムやデータを記憶する記憶部２２０と、表面部２２を介して画像を表示可能な表示部２３０と、表面部２２へのタッチ操作を検出可能な静電容量方式のタッチ検出部２４０と、他の装置とデータの送受信を行う通信部２５０とを有している。
【００２８】
記憶部２２０は、フラッシュメモリ等の不揮発性記憶装置であり、タッチ検出部２４０で検出されるタッチ操作の痕跡を痕跡データとして記憶する。例えば、従来通りに手書きサインによる入力が行われた場合は、タッチ操作の痕跡として手書きサインの痕跡に係る痕跡データを記憶し、印章１０による入力が行われた場合は、タッチ操作の痕跡として印影に係る痕跡データを記憶する。
【００２９】
表示部２３０は、タッチパネルの表示機能を実現する液晶ディスプレイ、有機ＥＬディスプレイ等の表示装置であり、表面部２２に重畳するように配設される。表示部２３０は、表面部２２を介して、例えば、使用者にサインの入力を促す画面やタッチ操作の痕跡に係る痕跡画像を表示する。
【００３０】
タッチ検出部２４０は、タッチパネルの入力機能を実現する装置であり、表面部２２と表示部２３０との間においてこれらと重畳するように配設される。タッチ検出部２４０としては、複数のタッチを同時に検出しかつ各タッチのタッチ形状をそれぞれ検出するために、例えば、２種類の電極をマトリクス状（２次元的）に配設した投影型静電容量方式のタッチセンサが採用される。なお、タッチ検出部２４０は、印章１０による入力及び手書きサインによる入力の両方を検出できるように構成されるが、印章１０による入力のみを検出するように構成されてもよい。
【００３１】
通信部２５０は、有線又は無線により他の装置とデータの送受信を行う装置であり、例えば、記憶部２２０に記憶されたタッチ操作の痕跡に係る痕跡データを管理装置等の他の装置へ送信する。
【００３２】
端末装置２０は、略平面に形成される表面部２２、表面部２２へのタッチ操作を検出可能な静電容量方式のタッチ検出部２４０及びタッチ検出部２４０で検出されるタッチ操作の痕跡を痕跡データとして記憶する記憶部２２０を有しているので、タッチ検出部２４０が印章１０の印面部１２の表面部２２への近接をタッチ操作として検出すると、印影が痕跡データとして記憶部２２０に記憶される。また、タッチ検出部２４０が印面部１２の表面部２２への近接を検出すると、表示部２３０が印影に係る痕跡画像を表示する。
【００３３】
［印受領システムの動作例］
印受領システム１の動作例について、図３を用いて説明する。端末装置２０において、サインを受領するためのプログラムが実行されると、表面部２２を介してサインの入力を促す画面が表示される。使用者は、サイン入力の代わりに所有する印章１０を使用する。なお、使用者は、従来通りに手書きサインを行うこともできる。
【００３４】
使用者が、表面部２２を介して表示された画面のサイン入力領域Ａ内に印章１０の印面部１２を押し付けると（図３左）、端末装置２０のタッチ検出部２４０が、印面部１２の表面部２２への近接を検出する。そして、印影に係る痕跡データが記憶部２２０に記憶されるとともに、印影に係る痕跡画像（印影画像Ｂ）がサイン入力領域Ａ内に表示される（図３右）。使用者等は、印影画像Ｂを見ることによって、正しく押印されたことを確認できる。
【００３５】
以上に説明した印受領システム１は、印章１０の印面部１２を端末装置２０の表面部２２へ接触させるだけで印章１０から印影を受領できる。使用者は、印章１０を使用する際、印章１０以外のものに触れる必要がなく、紙に押印する場合と同様に、表面部２２に対して押印するだけでよい。これにより、印受領システム１は、使用者による承認の入力を容易にかつ衛生的に受領できる。
【００３６】
また、印受領システム１は、印章１０を認証するための手段を必ずしも必要とせず、簡易な構成によって実現できる。したがって、印受領システム１は、認印等の簡易な承認印が必要とされる場面に適用されると好適である。
【００３７】
［その他の実施形態］
本発明は、上記実施形態に限定されない。
【００３８】
上記実施形態では、印章１０が、１つの印面部１２を有するものについて説明したが、印章１０の構成はこれに限定されない。印章１０は、複数の印面部１２の中から選択される１つの印面部１２を使用できる構成であってもよい。例えば、印章１０は、本体部１１に複数の印面部１２を設ける構成であってもよい。また、印章１０は、本体部１１の一端において印面部１２を着脱可能とする着脱機構を有するものであってもよい。また、印章１０は、複数の印面部１２を回転可能に保持し、本体部１１の一端においてこれらの印面部１２の中から１つの印面部１２を表出させる回転機構を有するものであってもよい。
【００３９】
上記実施形態では、印章１０の印面部１２が、一又は複数の凸部を含む形状であるものについて説明したが、印章１０の印面の構造はこれに限定されない。例えば、印面部１２の隙間を埋めるように絶縁材料が配設されていてもよい。具体的には、印章１０は、本体部１１の一端において印面部１２の周囲を埋めるように囲み、かつ印面部１２と連続して略平面を形成するように配設される支持部を有し、この支持部が絶縁材料によって形成される構成であってもよい。このような支持部が設けられると、印面部１２の欠落を防止できる。
【００４０】
上記実施形態では、端末装置２０が、表面部２２を介して画像を表示可能な表示部２３０を有するタッチパネル一体型の携帯端末であるものについて説明したが、端末装置２０の構成はこれに限定されない。例えば、端末装置２０は、据え置き型端末であってもよいし、本体部にタッチパネルが別途接続された構成であってもよい。また、端末装置２０は、表示部２３０を有していなくてもよく、タッチ検出部２４０を含むタッチパッドを有する構成であってもよい。この場合、端末装置２０は、表示装置を別途接続する構成であってもよい。
【符号の説明】
【００４１】
１  印受領システム
１０  印章
１１  本体部
１２  印面部
１３  ラベル部
２０  端末装置
２１  本体部
２２  表面部
２１０  制御部
２２０  記憶部
２３０  表示部
２４０  タッチ検出部
２５０  通信部
Ａ  サイン入力領域
Ｂ  印影画像
【要約】      （修正有）【課題】使用者による承認の入力を容易にかつ衛生的に受領可能な印受領システムを提供する。【解決手段】印受領システム１は、本体部１１及び本体部１１の一端に設けられる印面部１２を有する印章１０と、略平面に形成される表面部２２、表面部２２へのタッチ操作を検出可能な静電容量方式のタッチ検出部及びタッチ検出部で検出されるタッチ操作の痕跡を痕跡データとして記憶する記憶部を有する端末装置２０とを備える。印面部１２が、所定の印影の鏡像を表すように導電性材料によって形成されており、タッチ検出部が印面部１２の表面部２２への近接をタッチ操作として検出すると、印影が痕跡データとして記憶部に記憶される。【選択図】図１【図１】
0006738474.tif 000002
【図２】
0006738474.tif 000003
【図３】
0006738474.tif 000004